(57)【要約】      （修正有）【課題】ボビンホルダーと別部材により構成され、既存のボビンホルダーに利用でき、ボビンホルダー全体が滑って移動しないようにするストッパーを提供する。【解決手段】筒部と筒部両側のフランジとからなるボビンに巻き付ける釣糸のストッパーであって、ストッパー１は、ボビンの少なくとも一方のフランジの外側に当接する本体３と、本体から突出して筒部に挿入して保持可能な軸部２とからなる。本体は軟質樹脂素材からなり、外縁に移動抵抗部（複数の凸部４）を有する。これにより、ボビンとストッパーのみで釣糸の端部を保持することができ、ボビンが回転した際などに釣糸が解けることを防止できる。【選択図】図１
0003225816.tif 000002
【実用新案登録請求の範囲】
【請求項１】
筒部と該筒部両側のフランジとからなるボビンに巻き付ける釣糸のストッパーであって、
前記ボビンの少なくとも一方のフランジの外側に当接する本体と、該本体から突出して前記ボビンの筒部に挿入して保持可能な軸部とからなり、
前記本体は、軟質樹脂素材からなり、外縁に移動抵抗部を有することを特徴とするストッパー。
【請求項２】
本体は、ボビンのフランジよりも表面面積の大きい円盤形状であって、移動抵抗部は本体外周縁から放射状に突出する複数の凸部であることを特徴とする請求項１に記載のストッパー。
【請求項３】
凸部に溝を有することを特徴とする請求項２に記載のストッパー。
【請求項４】
本体は、表面にボビンの筒部に応じた凹部を有することを特徴とする請求項１、２または３のいずれかに一項に記載のストッパー。
【請求項５】
軸部は、周方向に複数のリブを有することを特徴とする請求項１、２、３または４のいずれか一項に記載のストッパー。
【考案の詳細な説明】
【技術分野】
【０００１】
本考案は、ボビンに巻き付けた釣糸（ハリス）の端部を保持するストッパーに関する考案である。
【背景技術】
【０００２】
ボビンに巻き付けた釣糸の端部を保持するものとして、ボビンホルダーが従来から提案されている。ボビンホルダーとは一対のアーム部の端部にボビンを挟持するボビン保持部を有し、一対のアーム部の他端に管状部を配置してボビンから出された釣糸を通して排出するものである。
【０００３】
特許文献１に記載のボビンホルダーは、一対のボビン保持部のうち一方のみに保持部の外側（ボビンと反対側）に糸保持部を設けている。この糸保持部は、ボビン保持部の平面部に接する接触面を有する保持体と、この保持体から突出し平面部の中央の穴部に挿入する軸部と、軸部の端部に設けた頭部とからなり、保持体の接触面と平面部との間に糸の端部を挟むことで釣糸を保持している。
【先行技術文献】
【特許文献】
【０００４】
【特許文献１】実用新案登録第３２１５７０８号公報
【考案の概要】
【考案が解決しようとする課題】
【０００５】
特許文献１のボビンホルダーは、糸保持部とボビン保持部とが一体化したものであり、一方が破損した場合には全て取り換える必要があった。特に糸保持部がボビン保持部から破損して外れてしまった場合にはボビンホルダー全体を交換する必要があった。また、ボビン保持部はボビンのフランジよりも小さく、その外表面に糸保持部が備えられた形態であるため、ボビンを取り付けたボビンホルダーを置いた状態でボビンホルダーごと滑って移動してしまうことがあった。
【０００６】
そこで、ボビンホルダーと別部材により構成され、既存のボビンホルダーに利用できるものであって、ボビンホルダー全体が滑って移動しないようなストッパーが求められていた。
【課題を解決するための手段】
【０００７】
本考案のストッパーは、上記課題に鑑み、筒部と該筒部両側のフランジとからなるボビンに巻き付ける釣糸のストッパーであって、前記ボビンの少なくとも一方のフランジの外側に当接する本体と、該本体から突出して前記ボビンの筒部に挿入して保持可能な軸部とからなり、前記本体は、軟質樹脂素材からなり、外縁に移動抵抗部を有することを特徴とする。
【０００８】
また、本体は、ボビンのフランジよりも表面面積の大きい円盤形状であって、移動抵抗部は本体外周縁から放射状に突出する複数の凸部であることが好ましい。
【０００９】
また、凸部に溝を有することが好ましい。
【００１０】
また、本体は、表面にボビンの筒部に応じた凹部を有することが好ましい。
【００１１】
また、軸部は、周方向に複数のリブを有することが好ましい。
【考案の効果】
【００１２】
請求項１に記載の考案により、ボビンとストッパーのみで釣糸の端部を保持することができて、ボビンが回転した際などに釣糸が解けることを防止することができる。フランジと本体とが当接する間に釣糸の端部を挟み込むことにより端部を容易に保持することができ、また容易に取り出すことができる。さらにストッパーによりボビンを保持し易くすることができる。
【００１３】
請求項２に記載の考案により、ボビンが予期せず転がった際などに凸部により転がりを停止して、転がりによる釣糸の解けを防止することができる。
【００１４】
請求項３に記載の考案により、溝に沿うように刃物により切込みを形成して、釣糸の端部を切込みに挿し込み保持することができて、短くなった釣糸や太い釣糸の端部であっても容易に保持したり取り出すことができる。
【００１５】
請求項４に記載の考案により、滑って移動することを防止して既存のボビンホルダーに取り付けることができる。
【００１６】
請求項５に記載の考案により、軸部を強固に筒部に挿入して取り付けて、ストッパーがボビンに対して回転することを確実に防止することができる。
【図面の簡単な説明】
【００１７】
【図１】本考案の実施形態に係るストッパーの正面斜視図である。
【図２】（ａ）はストッパーの背面図であり、（ｂ）は側面図である。
【図３】ストッパーの背面斜視図である。
【図４】ストッパーの使用状態の一例を示す斜視図である。
【図５】図４のＡ−Ａ線断面図である。
【図６】図５のボビンのＡ−Ａ線断面図である。
【考案を実施するための形態】
【００１８】
本考案の実施形態について、図面に基づいて詳細に説明する。本実施形態のストッパー１は、図４及び図５に示すように、ボビン１０の一端に取り付けて、ボビン１０とともに既存のボビンホルダー３０の一対のアーム３１、３１の先端にある保持部３２、３２により挟持されて保持されるものである。
【００１９】
ボビン１０は、釣糸４０を巻き付ける円筒形状の筒部１１と、筒部１１の両端部に夫々形成した円板状のフランジ１２、１２とからなり、ストッパー１よりも硬質な樹脂部材により形成される。図６に示すように、円盤状のフランジ１２、１２には筒部１１の内部空洞１１ａから連通する位置に同径の開口１２ｂ、１２ｂが形成されており、図５に示すように、この開口１２ｂ、１２ｂにボビンホルダー３０の保持部３２、３２を挿入してボビン１０を保持することができる。
【００２０】
ボビンホルダー３０は、釣糸４０を通すためのパイプ３３ａを有し、釣糸４０の繰り出しをガイドするガイド部３３と、このガイド部３３から延びる一対の棒状のアーム３１、３１とを有する。一対のアーム３１、３１は、ガイド部３３から分岐して一対のものとなり、各々が内側に凸となる湾曲部分を経て直進する形態を有しており、金属製のバネ部材により形成される。この形態からアーム３１、３１の先端に配置される保持部３２、３２が内側に向けて付勢するようにしている。
【００２１】
アーム３１、３１とともに一対となる保持部３２、３２は互いに対向する円錐形の台形形状としている。一方の保持部３２は一方のフランジ１２の開口１２ｂに嵌まり込むようにしている。他方の保持部３２は後述するストッパー１の凹部６の内周面に弾性的に嵌まり込むようにして、そのアーム３１が凹部６の縁６ａに弾性的に接触する。そして、ストッパー１に接触するアーム３１は凹部６の突出する縁６ａにより表面３ｂ（外表面）との間に隙間を有して、アーム３１とストッパー１との接触抵抗が軽減されるようにし、アーム３１が回動し易くしている。
【００２２】
ボビンホルダー３０は、アーム３１、３１の弾性を用いて両保持部３２、３２によりボビン１０及びストッパー１をその軸方向の両端から挟持して、ボビン１０及びストッパー１を回転自在に保持するものである。
【００２３】
ストッパー１は、図１、図２及び図５に示すように、ボビン１０のフランジ１２の表面１２ａ（外表面）にボビン１０の軸方向から当接する円盤状の本体３と、本体３の中央から筒部１１側に突出する軸部２とからなる。ストッパー１の本体３及び軸部２はともにエラストマ素材やシリコン素材などの軟質樹脂部材により一体的に成型される。
【００２４】
軸部２は円筒形状に形成され、突出する寸法をボビン１０の軸方向に沿う寸法の半分以下とし、例えばボビン１０の軸方向に沿う寸法を約２８ｍｍとし、軸部２の突出する寸法を約１１ｍｍとしている。軸部２は外周面に４つのリブ７、７を周方向に等間隔に配置している。軸部２は筒部１１と同軸に位置してリブ７を筒部１１の内周面に弾性的に当接しながら筒部１１に挿入することによりボビン１０に取り付けられる。また、軸部２の先端を半球状に形成して、ボビン１０に容易にかつ滑らかに挿入可能としている。
【００２５】
本体３はフランジ１２よりも大きい半径の円盤形状に形成され、円盤の中心から軸部２が突出している。本体３の半径はフランジ１２の半径の１．３倍程度とし、例えば本体３の半径を約２７ｍｍとし、フランジ１２の半径を約２２ｍｍとしている。
【００２６】
本体３は、図１乃至図３及び図５に示すように、フランジ１２に当接する平面形状の底面３ａ（内面）と、中央に向けて緩やかに膨らむ表面３ｂ（外表面）とからなる。本体３は底面３ａをフランジ１２の表面１２ａに面接触して取り付けることにより、軟質樹脂の本体３とフランジ１２との間に釣糸４０の端部４０ａを挟み込むことにより釣糸４０を保持することができる。
【００２７】
本体３は、円盤状の外周縁に移動抵抗部を有している。本実施形態の移動抵抗部は周方向に等間隔に並ぶ３つの凸部４、４であり、外周縁から放射状（径方向）に突出して有し、凸部４の突出する寸法は約２ｍｍとしている。凸部４は先端側が広がる扇形状に形成され、軸方向に平面を有する板状とし、板厚は約２ｍｍとしている。凸部４が本体３から突出することにより、ボビン１０が予期せず転がった際などに凸部４により転がりを止めて、転がりによるボビン１０の紛失や釣糸４０の解けを防止することができる。
【００２８】
移動抵抗部は、円盤状の本体３が滑ったり、転がることを防止する突出体を指し、本実施形態の３つの凸部以外の８つやそれ以外の個数の凸部や、三角形状の突出体が配置される形態やその他の形態でもよい。
【００２９】
凸部４の幅方向（円周方向）の中央において、本体３の円中心に向けて径方向に沿うように形成された溝５、５を有する。本体３は溝５、５を形成することにより、使用者が溝５、５を切込んで、この溝５、５にも釣糸４０の端部４０ａを挿し込み保持することができる。本実施形態の溝５は、単なる「へこみ」が形成されたものであるが、予め完全に切断された切込み形状としてもよい。
【００３０】
また、本体３は表面３ｂの中央に軸部２に連通する貫通孔からなる凹部６を有している。凹部６の縁６ａは表面３ｂよりも軸方向に突出する円錐形の環形状とし、縁６ａの外径は約１４ｍｍとし、縁６ａが表面３ｂから突出する寸法は約１．５ｍｍとしている。この凹部６がボビン１０の筒部１１（フランジ１２の開口１２ｂ、１２ｂ）に応じた形態としており、使用者は既製のボビンホルダー３０にも本考案のストッパー１を使用することが可能になる。本実施形態では凹部６の貫通孔は開口１２ｂ、１２ｂ（約６．５ｍｍ）よりも若干径を大きくしているが、開口１２ｂ、１２ｂと同径にしてもよく、保持部３２が保持できる程度のものである必要がある。
【００３１】
凹部６は突出する縁６ａからなる部分の貫通孔を軸部２の内径（約４ｍｍ）よりも大きい寸法（約８ｍｍ）とし、縁６ａと軸部２との間の部分（表面３ｂから底面３ａまでの部分）の貫通孔を軸部２側に向けて狭くなる円錐形状としている。ストッパー１は縁６ａの内側に一方のアーム３１の保持部３２を嵌合することによりボビンホルダー３０を取り付けられる。
【符号の説明】
【００３２】
１…ストッパー、２…軸部、３…本体、４…凸部、５…溝、６…凹部、６ａ…凹部の縁、７…リブ、１０…ボビン、１１…筒部、１１ａ…内部空洞、１２…フランジ、１２ａ…表面、１２ｂ…開口、３０…ボビンホルダー、３３…ガイド部、３３ａ…パイプ、３１…アーム、３２…保持部、４０…釣糸、４０ａ…釣糸の端部。
【図１】
0003225816.tif 000003
【図２】
0003225816.tif 000004
【図３】
0003225816.tif 000005
【図４】
0003225816.tif 000006
【図５】
0003225816.tif 000007
【図６】
0003225816.tif 000008